(57)【要約】【課題】  測定中に被検眼が動いても、その影響なく一定の断層像を観察することができる。【解決手段】  ＯＣＴ光学系を用いて被検眼の断層画像を取得する断層画像取得手段と、被検眼の正面画像を取得する正面画像取得手段と、前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、被検眼の断層画像を取得する眼科撮影装置であって、被検眼の位置ずれを検出する位置ずれ検出手段と、検出された位置ずれに基づいて前記断層画像の取得位置及び正面画像における前記測定ラインの位置を補正する補正手段と、を備える。【選択図】      図３
2014057899.tif 000002
【特許請求の範囲】
【請求項１】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置であって、
被検眼の位置ずれを検出する位置ずれ検出手段と、
前記位置ずれ検出手段によって検出された位置ずれに基づいて被検眼における前記断層画像の取得位置及び正面画像における前記測定ラインの位置を補正する補正手段と、
を備えることを特徴とする眼科撮影装置。
【請求項２】
前記補正手段は、前記位置ずれ検出手段によって検出された位置ずれに基づいて前記走査手段を制御することによって、被検眼における前記断層画像の取得位置を補正することを特徴とする請求項１の眼科撮影装置。
【請求項３】
前記補正手段は、前記ＯＣＴ光学系を少なくとも内蔵する装置本体を移動させる駆動部を備え、前記位置ずれ検出手段によって検出された位置ずれに基づいて前記駆動部を制御することによって、被検眼における前記断層画像の取得位置を補正することを特徴とする請求項１の眼科撮影装置。
【請求項４】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置であって、
被検眼の位置ずれを検出する位置ずれ検出手段と、
前記ＯＣＴ光学系を少なくとも内蔵する装置本体を移動させる駆動部を備え、前記位置ずれ検出手段によって検出された位置ずれに基づいて前記駆動部を制御することによって、被検眼における前記断層画像の取得位置を補正する補正手段と、
を備えることを特徴とする眼科撮影装置。
【発明の詳細な説明】
【技術分野】
【０００１】
本発明は、低コヒーレント光を用いて被検眼の断層画像を取得する眼科撮影装置に関する。
【背景技術】
【０００２】
被検眼（例えば、眼底、前眼部、等）の断層画像を非侵襲で得ることができる眼科撮影装置として、低コヒーレント光を用いた光断層干渉計（Optical Coherence Tomography:OCT）が知られている。このような眼科撮影装置では、例えば、測定光を眼底上で１次元走査させながら、ＯＣＴ光学系を用いて被検眼の深さ方向の情報を得ることにより、断層画像を得ている（特許文献１参照）。
【０００３】
また、上記のような装置においては、被検眼の正面画像を取得するためのスキャニングレーザオフサルモスコープ（ＳＬＯ光学系）又は二次元撮像素子を持つ撮像光学系をＯＣＴ光学系に複合させた構成が知られており、検者は、所定のスイッチ操作により、ディスプレイに表示された被検眼正面画像上の測定ラインを移動させながら、被検眼の上下左右方向における撮影位置を変更して断層画像の撮影位置を決定している。
【０００４】
また、上記のような装置では、前述のように断層画像の撮影位置を決定した後、検者は、所望する眼底部位を好適な撮影感度で観察するために、表示モニタに表示される断層画像を見ながら参照光の光路長を変更する。
【特許文献１】特開２００７−１５１６２２号公報
【発明の開示】
【発明が解決しようとする課題】
【０００５】
しかしながら、従来の装置構成の場合、測定中に被検眼が動くと、その影響なく一定の断層像を観察することが難しい。
【０００６】
本発明は、上記問題点を鑑み、測定中に被検眼が動いても、その影響なく一定の断層像を観察することができる眼科撮影装置を提供することが技術課題とする。
【課題を解決するための手段】
【０００７】
上記課題を解決するために、本発明は以下のような構成を備えることを特徴とする。
【０００８】
（１）
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置であって、
被検眼の位置ずれを検出する位置ずれ検出手段と、
前記位置ずれ検出手段によって検出された位置ずれに基づいて被検眼における前記断層画像の取得位置及び正面画像における前記測定ラインの位置を補正する補正手段と、
を備えることを特徴とする。
（２）
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置であって、
被検眼の位置ずれを検出する位置ずれ検出手段と、
前記ＯＣＴ光学系を少なくとも内蔵する装置本体を移動させる駆動部を備え、前記位置ずれ検出手段によって検出された位置ずれに基づいて前記駆動部を制御することによって、被検眼における前記断層画像の取得位置を補正する補正手段と、
を備えることを特徴とする。
【発明の効果】
【０００９】
本発明によれば、測定中に被検眼が動いても、その影響なく一定の断層像を観察することができる。
【発明を実施するための最良の形態】
【００１０】
本発明の実施形態を図面に基づいて説明する。図１は、本実施形態の眼科撮影装置の光学系及び制御系を示す図である。なお、本実施形態においては、被検眼の奥行き（深さ）方向をＺ方向（光軸Ｌ１方向）、奥行き方向に垂直（被検者の顔面と同一平面）な平面上の水平方向成分をＸ方向、鉛直方向成分をＹ方向として説明する。
【００１１】
図１において、その光学系は、被検眼眼底の断層画像を光干渉の技術を用いて非侵襲で得るための干渉光学系（以下、ＯＣＴ光学系とする）２００と、赤外光を用いて被検眼の眼底を照明し観察するための眼底ＳＬＯ画像を取得するスキャニングレーザオフサルモスコープ（ＳＬＯ）光学系３００と、に大別される。なお、これらの光学系は、図示無き筐体内に搭載され、ジョイスティック等の操作部材を介して所定のアライメント移動機構により被検眼に対して筐体を３次元的に移動させることにより被検眼に対するアライメントが行われる。
【００１２】
なお、４０は光分割部材と光結合部材としてのダイクロイックミラーであり、ＯＣＴ光学系２００に用いられる測定光源２７から発せられる測定光（例えば、λ＝８４０ｎｍ付近）を反射し、ＳＬＯ光学系３００に用いられるＳＬＯ光源６１から発せられるレーザ光（例えば、λ＝７８０ｎｍ付近）を透過する特性を有する。この場合、ダイクロイックミラー４０は、ＯＣＴ光学系２００の測定光軸Ｌ２とＳＬＯ光学系３００の測定光軸Ｌ１とを同軸にする。
【００１３】
まず、ダイクロイックミラー４０の反射側に設けられたＯＣＴ光学系２００の構成について説明する。２７はＯＣＴ光学系２００の測定光及び参照光として用いられる低コヒーレントな光を発するＯＣＴ光源であり、例えばＳＬＤ光源等が用いられる。ＯＣＴ光源２７には、例えば、中心波長８４０ｎｍで５０ｎｍの帯域を持つ光源が用いられる。２６は光分割部材と光結合部材としての役割を兼用するファイバーカップラーである。ＯＣＴ光源２７から発せられた光は、導光路としての光ファイバ３８ａを介して、ファイバーカップラー２６によって参照光と測定光とに分割される。測定光は光ファイバ３８ｂを介して被検眼Ｅへと向かい、参照光は光ファイバ３８ｃを介して参照ミラー３１へと向かう。
【００１４】
測定光を被検眼Ｅへ向けて出射する光路には、測定光を出射する光ファイバ３８ｂの端部３９ｂ、コリメータレンズ２５、被検眼の屈折誤差に合わせて光軸方向に移動可能なリレーレンズ（フォーカシングレンズ）２４、走査駆動機構５１の駆動により眼底上でＸＹ方向に測定光を走査させることが可能な２つのガルバノミラーの組み合せからなる走査部２３、が配置されている。ダイクロイックミラー４０及び対物レンズ１０は、ＯＣＴ光学系２００からのＯＣＴ測定光を被検眼眼底へと導光する導光光学系としての役割を有する。なお、本実施形態の走査部２３では、２つのガルバノミラーによって測定光の反射角度を任意に調整することにより、眼底上に走査させる測定光の走査方向を任意に設定できるような構成となっている。よって、被検眼眼底の任意の領域の断層画像を得ることが可能となる。例えば、眼底に対して斜め方向に測定光を走査させることで、被検眼の眼底を斜めから切断した際の断層像を得ることが可能であるし、眼底に対して丸状に測定光を走査させることで、被検眼の眼底上の所定位置から一定距離にある断層像を得ることが可能である。なお、光ファイバ３８ｂの端部３９ｂは、被検眼眼底と共役となるように配置される。また、走査部２３の２つのガルバノミラーは、被検眼瞳孔と略共役な位置に配置される。
【００１５】
光ファイバ３８ｂの端部３９ｂから出射した測定光は、コリメータレンズ２５にて平行光束とされ、リレーレンズ２４を介して、走査部２３に達し、２つのガルバノミラーの駆動により反射方向が変えられる。そして、走査部２３で反射された測定光は、ダイクロイックミラー４０で反射された後、対物レンズ１０を介して、被検眼眼底に集光される。
【００１６】
そして、眼底で反射した測定光は、対物レンズ１０を介して、ダイクロイックミラー４０で反射し、ＯＣＴ光学系２００に向かい、走査部２３の２つのガルバノミラー、リレーレンズ２４を介して、コリメータレンズ２５により集光されて、光ファイバ３８ｂの端部３９ｂに入射する。端部３９ｂに入射した測定光は、光ファイバ３８ｂ、ファイバーカップラー２６、光ファイバ３８ｄを介して端部８４ａに達する。
【００１７】
一方、参照光を参照ミラー３１に向けて出射する光路には、参照光を出射する光ファイバ３８ｃの端部３９ｃ、コリメータレンズ２９、参照ミラー３１が配置されている。参照ミラー３１は、参照光の光路長を変化させるべく、参照ミラー駆動機構５０により光軸方向に移動可能な構成となっている。
【００１８】
光ファイバー３８ｃの端部３９ｃから出射した参照光は、コリメータレンズ２９で平行光束とされ、参照ミラー３１で反射された後、コリメータレンズ２９により集光されて光ファイバ３８ｃの端部３９ｃに入射する。端部３９ｃに入射した参照光は、光ファイバ３８ｃを介して、ファイバーカップラー２６に達する。
【００１９】
そして、眼底に照射された測定光の反射光と前述のように生成された参照光は、ファイバーカップラー２６にて合成され干渉光とされた後、光ファイバ３８ｄを通じて端部８４ａから出射される。８００は周波数毎の干渉信号を得るために干渉光を周波数成分に分光する分光光学系８００（スペクトロメータ部）であり、コリメータレンズ８０、グレーティングミラー（回折格子）８１、集光レンズ８２、受光素子８３にて構成されている。受光素子８３は、赤外域に感度を有する一次元素子（ラインセンサ）を用いている。
【００２０】
ここで、端部８４ａから出射された干渉光は、コリメータレンズ８０にて平行光とされた後、グレーティングミラー８１にて周波数成分に分光される。そして、周波数成分に分光された干渉光は、集光レンズ８２を介して、受光素子８３の受光面に集光する。これにより、受光素子８３上で干渉縞のスペクトル情報が記録される。そして、そのスペクトル情報が制御部７０へと入力され、フーリエ変換を用いて解析することで、被験者眼の深さ方向における情報が計測可能となる。ここで、制御部７０は、走査部２３により測定光を眼底上で所定の横断方向に走査することにより断層画像を取得できる。例えば、Ｘ方向もしくはＹ方向に走査することにより、被検眼眼底のＸＺ面もしくはＹＺ面における断層画像を取得できる（なお、本実施形態においては、このように測定光を眼底に対して１次元走査し、断層画像を得る方式をＢスキャンとする）。なお、取得された断層画像は、制御部７０に接続されたメモリ７２に記憶される。さらに、測定光をＸＹ方向に２次元的に走査することにより、被検眼眼底の３次元画像を取得することも可能である。
【００２１】
次に、ダイクロイックミラー４０の透過方向に配置されたＳＬＯ光学系（共焦点光学系）３００について説明する。６１は高コヒーレントな光を発するＳＬＯ光源であり、例えば、λ＝７８０ｎｍのレーザダイオード光源が用いられる。ＳＬＯ光源６１から発せられるレーザ光を被検眼Ｅに向けて出射する光路には、被検眼の屈折誤差に合わせて光軸方向に移動可能なリレーレンズ６３、走査駆動機構５２の駆動により眼底上でＸＹ方向に測定光を高速で走査させることが可能なガルバノミラーとポリゴンミラーとの組み合せからなる走査部６４、リレーレンズ６５、対物レンズ１０が配置されている。また、走査部２３のガルバノミラー及びポリゴンミラーの反射面は、被検眼瞳孔と略共役な位置に配置される。なお、本実施形態におけるＳＬＯ光学系３００が持つ走査部６４は、前述のＯＣＴ光学系２００が持つ走査部２３とは別の構成からなる。
【００２２】
また、ＳＬＯ光源６１とリレーレンズ６３との間には、ビームスプリッタ６２が配置されている。そして、ビームスプリッタ６２の反射方向には、共焦点光学系を構成するための集光レンズ６６と、眼底に共役な位置に置かれる共焦点開口６７と、ＳＬＯ用受光素子６８とが設けられている。
【００２３】
ここで、ＳＬＯ光源６１から発せられたレーザ光（測定光）は、ビームスプリッタ６２を透過した後、リレーレンズ６３を介して、走査部６４に達し、ガルバノミラー及びポリゴンミラーの駆動により反射方向が変えられる。そして、走査部６４で反射されたレーザ光は、リレーレンズ６５を介して、ダイクロイックミラー４０を透過した後、対物レンズ１０を介して、被検眼眼底に集光される。
【００２４】
そして、眼底で反射したレーザ光は、対物レンズ１０、リレーレンズ６５、走査部６４のガルバノミラー及びポリゴンミラー、リレーレンズ６３を経て、ビームスプリッタ６２にて反射される。その後、集光レンズ６６にて集光された後、共焦点開口６７を介して、受光素子６８によって検出される。そして、受光素子６８にて検出された受光信号は制御部７０へと入力される。制御部７０は受光素子６８にて得られた受光信号に基づいて被検眼眼底の正面画像を取得する。取得された正面画像はメモリ７２に記憶される。
なお、制御部７０には、表示ディスプレイ７５に接続され、その表示画像を制御する。また、制御部７０には、メモリ７２、ポインティングデバイスとして用いられるマウス７６、が接続されている。なお、本実施形態におけるマウス７６には、検者の手によってマウス７６本体が２次元的に移動されたときの移動信号を検出するセンサと、検者の手によって押圧されたことを検知するための左右２つのマウスボタンと、左右２つのマウスボタンの間に前後方向に回転可能なホイール機構と、が設けられている。
【００２５】
次に、ＢスキャンによりＸＺ面の断層画像（Ｂスキャン画像）を取得する手法について説明する。図２は、ＢスキャンによるＯＣＴ画像と二次元的なスキャンによるＳＬＯ画像を逐次取得する際の動作について説明する図である。ここで、制御部７０は、ＯＣＴ光源２７とＳＬＯ光源６１を交互に点灯させることによって被検眼の眼底像を得るために被検眼の眼底に照射される照射光を，ＯＣＴ光学系２００を介して照射される測定光とＳＬＯ光学系を介して照射されるレーザ光とで切り換える。よって、制御部７０には、ＯＣＴ光学系２００に配置された受光素子８３によって検出される干渉信号とＳＬＯ光学系３００に配置された受光素子６８によって検出される受光信号が逐次入力される。
【００２６】
ここで、制御部７０は、ＳＬＯ画像の１フレーム分の走査エリアのうち、画像取得に影響を及ぼし難い、上下端部のエリア（図２のハッチング部分）を、ＯＣＴ画像取得に必要な時間分に相当する領域として、その領域に位置する間、ＳＬＯ光源６１をＯＦＦとする。そして、ＳＬＯ光源６１がＯＦＦの間に、ＯＣＴ光源２７をＯＮにしてＢスキャンにてＯＣＴ画像を取得する。そして、制御部７０は、このような制御を連続して行い、交互に得られたＳＬＯ画像及びＯＣＴ画像を、表示ディスプレイ７５に同時に動画として表示させる。なお、本構成の詳しい動作については、本出願人による特願２００６−２０４４２５号を参考にされたい。
【００２７】
以上のような構成を備える装置において、その動作を説明する。図３は、ディスプレイ７５に表示される表示画面の一例である。制御部７０は、ディスプレイ７５上に、ディスプレイ７５の画面全体を移動可能なカーソル１００、ＯＣＴ光学系２００によって取得される断層画像２０１、ＳＬＯ光学系３００によって取得されるＳＬＯ画像３０１、被検眼眼底に対するフォーカスを調整するためのフォーカス調整部４００、オートコヒーレンスボタン４０３、光路長調整部４１０、装置に設けられた図示なき前眼部観察用カメラによって撮影される前眼部観察画像５００、等が接続されている。制御部７０は、検者によって二次元的に移動されるときにマウス７６から出力される操作信号に基づいてディスプレイ７５の画面上でカーソル１００を移動させる。また、本実施形態では、検者がマウス７６を操作してディスプレイ７５上の所望の位置にカーソル１００を合わせた状態で、クリック操作又はドラッグ操作を行うことにより撮影条件の設定が可能な構成となっている。この場合、カーソル１００はディスプレイ７５上における任意の位置を指定するために用いられる。
【００２８】
まず、検者は、ディスプレイ７５に表示される前眼部画像５００を見ながら被検眼の瞳孔中心が測定光軸がくるように、アライメントし、被検者に図示なき可動固視灯を注視させ、検者の所望する測定部位に誘導する。
【００２９】
そして、検者は、表示ディスプレイ７５に表示されるＳＬＯ画像３０１を見ながら、マウス７６を用いてフォーカス調整部４００に表示されるスライダ４００ａにカーソル１００を合わせてドラッグ操作を行うことにより眼底像のフォーカス調整を行う。この場合、制御部７０は、スライダ４００ａの表示位置に応じてレンズ２４及びレンズ６３を光軸方向に移動させる。
【００３０】
次に、ディスプレイ７５に表示されたオートコヒーレンスボタン４０３にカーソル１００が置かれた状態でマウス７６によるクリック操作がなされると、制御部７０は、駆動機構５０を駆動制御してＯＣＴ信号が検出されるまで自動で参照ミラー３１を移動させる。この場合、検者は、マウス７６を用いて光路長調整部４１０に表示されるスライダ４１０ａにカーソル１００を合わせてドラッグ操作を行うことにより参照光の光路長調整を手動で行うことも可能である。この場合、制御部７０は、スライダ４１０ａの表示位置に応じて駆動機構５０を用いて参照ミラー３１を移動させる。
【００３１】
ここで、受光素子８３のＯＣＴ信号が検出されると、制御部７０は、前述のようにＯＣＴ光源２７とＳＬＯ光源６１を交互に点灯させ、ＯＣＴ画像とＳＬＯ画像を交互に取得していき、取得された画像をディスプレイ７５の画面上に表示する。
【００３２】
ここで、制御部７０は、ＯＣＴ画像及びＳＬＯ画像の各画像が１フレーム取得される毎に、随時ディスプレイ７５に表示されるＯＣＴ画像及びＳＬＯ画像を随時更新していく。以上のようにすれば、ＳＬＯ光学系３００による正面画像とＯＣＴ光学系２００による断層画像が動画レートでほぼ同時に観察可能となる。なお、検者の設定によらない最初のＯＣＴ画像の取得位置は、例えばＳＬＯ画像の中心位置から水平方向に所定領域分とすればよい。
【００３３】
ＯＣＴ画像及びＳＬＯ画像が同一画面上に表示されたら、検者はリアルタイムで観察される表示ディスプレイ７５上のＳＬＯ画像から検者の撮影したい断層画像の位置を設定する。ここで、検者は、マウス７６を用いて、画面上のＳＬＯ画像上に電気的に表示される測定位置（取得位置）を表すラインＬＳにカーソル１００を合わせてドラッグ操作を行うことにより、ＳＬＯ眼底画像に対してラインＬＳを移動させていき、測定位置を設定する。なお、ラインＬＳがＸ方向となるように設定すれば、ＸＺ面の断層画像の撮影が行われ、ラインＬＳがＹ方向となるように設定すれば、ＹＺ面の断層画像の撮影が行われるようになっている。また、ラインＬＳを任意の形状（例えば、斜め方向や丸等）に設定できるようにしてもよい。
【００３４】
そして、制御部７０は、設定された測定位置に基づいてＢスキャンによるＸＺ面の断層画像の撮影動作を行う。すなわち、制御部７０は、画面上のＳＬＯ画像上に設定されたラインＬＳの表示位置に基づいてこのラインＬＳの位置における眼底の断層画像が得られるように、走査部２３を駆動させて測定光を走査させる。なお、ラインＬＳの表示位置（モニタ上における座標位置）と走査部２３による測定光の走査位置との関係は、予め定まっているので、制御部７０は設定したラインＬＳの表示位置に対応する走査範囲に対して測定光が走査されるように、走査部２３の２つのガルバノミラーを適宜駆動制御する。
【００３５】
ここで、検者によってラインＬＳがＳＬＯ眼底画像に対して移動されると、制御部７０は、随時測定位置の設定を行い、これに対応する測定位置の断層画像の取得を行う。そして、取得された断層画像を随時ディスプレイ７５の表示画面上に表示する。このようにして、検者の所望する断層画像がディスプレイ７５に表示された際、所定の検者操作によって所望する断層画像と正面画像がメモリ７２に記憶される。
【００３６】
なお、上記構成において、断層画像取得時のＳＬＯ画像に基づいて被検眼の位置ずれを検出することにより、断層画像の補正を行うことも可能である。この場合、得られたＳＬＯ画像から被検眼の眼底の特徴点（血管形状や視神経乳頭）を画像処理により抽出し、抽出された特徴点の偏位量を求めることにより被検眼の位置ずれを検出することが可能である。そして、制御部７０は、検出された被検眼の位置ずれ量に基づいて走査部２３を駆動制御させ、位置ずれ量分測定位置を補正する（ラインＬＳの表示位置も補正するとよいじょ）ことにより、測定中に被検眼が動いても、その影響なく一定の断層像を観察することができる。その他、制御部７０は、検出された被検眼の位置ずれ量に基づいて装置本体全体を移動させるよう図示なき駆動部を制御することにより、被検眼の位置ずれを補正することが可能である。
【００３７】
また、制御部７０は、マウス７６等のポインティングデバイスによって断層画像上における任意の位置で指定される指定位置の指定位置情報又は指定位置の移動情報に基づいて参照光の光路長と測定光の光路長との光路差を変更し、参照光に対応する被検眼の深さ位置を変更する。また、制御部７０は、さらに、前述の指定位置の指定位置情報、又は指定位置の移動情報に基づいて前記測定光を走査して、被検眼上における測定光の走査位置を変更する。
【００３８】
さらに、制御部７０は、マウス７６等のポインティングデバイスによって断層画像上における任意の位置で指定される指定位置の上下方向における指定位置情報又は指定位置の移動情報に基づいて参照光に対応する被検眼の深さ位置の変更又は測定光の走査位置の変更のうちの一方の変更制御を行い、左右方向における指定位置の指定位置情報又は指定位置の移動情報に基づいて参照光に対応する被検眼の深さ位置の変更又は測定光の走査位置の変更のうちの他方の変更制御を行う。
【００３９】
より具体的には、制御部７０は、ディスプレイ７５において断層画像２０１を表示する領域として設定された断層画像表示領域２０１Ｒの上にカーソル１００が置かれた状態で、マウス７６から出力される操作信号に基づいて参照光に対応する被検眼の深さ位置又は測定光の走査位置を変更する。この場合、メモリ７２には、ディスプレイ７５上における断層画像表示領域２０１Ｒの表示位置（座標位置）が記憶されている。
【００４０】
上記のように断層画像が撮影され、ディスプレイ７５上の断層画像表示領域２０１Ｒに断層画像２０１が表示された後、参照光に対応する被検眼の深さ位置又は測定光の走査位置を変更したい場合、検者は、マウス７６を操作して断層画像２０１にカーソル１００を合わせ、断層画像２０１に対して所定の操作（例えば、ドラッグ操作、クリック操作）を行う。
【００４１】
例えば、制御部７０は、断層画像表示領域２０１Ｒにカーソル１００が置かれた状態でマウス７６がクリックされ、クリックされた状態のまま水平面上の任意の方向にマウス７６が移動される（ドラッグされる）と、マウス７６の操作方向に応じて移動されるカーソル１００に追従して断層画像２０１が表示領域２０１Ｒ内で移動されるように参照光に対応する被検眼の深さ位置及び測定光の走査位置の変更を行う（図４参照）。
【００４２】
この場合、制御部７０は、マウス７６に設けられたマウスボタンからの検知信号が出力された状態のままマウス７６から出力される操作信号に基づいてカーソル１００によって指定される上下方向及び左右方向における指定位置の移動情報を取得する。
【００４３】
ここで、図４（ａ）に示すように断層画像２０１がクリックされた状態のままマウス７６が前後方向に移動されることにより、ディスプレイ７５上の断層画像２０１に対して上下方向へのドラッグ操作がなされると、制御部８０は、その操作信号に基づいて、カーソル１００を上下方向に移動させると共に、図４（ｂ）に示すようにカーソル１００の移動に追従して断層画像２０１が移動されるように駆動機構５０を用いて参照ミラー３１を移動させることにより参照光の光路長の変更を行う。
【００４４】
このとき、制御部７０は、マウス７６が前進する方向に移動されると参照光の光路長が長くなる方向に参照ミラー３１を移動させ、マウス７６が後退する方向に移動されると参照光の光路長が短くなる方向に参照ミラー３１を移動させる。そして、参照ミラー３１の移動によって参照光の光路長が変更されると、結果的に、参照光の光路長と測定光の光路長との光路差が変更され、参照光の光路長（光源２７〜参照ミラー３１〜分光光学系８００）と光路長が等しくなる眼底上の深さ位置が変化される。これにより、参照光の光路長に対応する眼底上の深さ位置が変更される。
【００４５】
そして、上記のようにして参照ミラー３１が移動され、参照光の光路長が変化された後に取得された断層画像がディスプレイ７５に表示されると、結果的に、網膜、色素上皮、脈絡膜、等を含む眼底断層像がディスプレイ７５上を上下方向に移動するように表示される。このとき、マウス７６が前進する方向に移動されると眼底断層像が上方向に移動し、マウス７６が後退する方向に移動されると眼底断層像が下方向に移動するようにディスプレイ７５に表示される。
【００４６】
なお、制御部７０は、マウス７６から出力される操作信号に基づいて、ドラッグ操作が開始された位置を基準としてドラッグ開始位置からのマウス７６の前後方向における移動量を検出して、上下方向における指定位置の移動情報を取得し、これに基づいて参照ミラー３１を移動させる。なお、メモリ７２には、ドラッグ開始位置からマウス７６が所定量移動されたときの参照ミラー３１の移動量を示す演算テーブルが記憶されており、制御部８０は、前述のように検出されるマウス７６の前後移動量に対応する参照ミラー３１の移動量を演算テーブルから取得することにより参照ミラー３１の移動量を求める。
【００４７】
また、本実施形態では、マウス７６が前後に移動されたときに、カーソル１００の上下方向における表示位置の変位量と断層画像２０１の上下方向における表示位置の変位量が等しくなるように、ドラッグ開始位置からのマウス７６の前後方向への移動量と参照ミラー３１の移動量との対応関係が設定されている。したがって、ディスプレイ７５上において、マウス７６に対するドラッグ操作によって移動されるカーソル１００に対して断層画像２０１が追従するようにして表示されるように参照ミラー３１が移動される。
【００４８】
また、上記構成において、制御部７０は、マウス７６が移動される毎に随時参照ミラー３１を移動させ断層画像を取得し、既に表示されている断層画像を更新して新たに取得された断層画像をディスプレイ７５に表示するようにすれば、マウス７６のドラッグ操作時において、検者は、画面上に表示される眼底部位の撮影感度の変化をリアルタイムで観察することができるため、検者の所望する撮影条件への調整が容易となる。この場合、
また、断層画像の撮影感度は、参照光と光路長が等しい深さ位置にて取得される画像の撮影感度が最大であり、参照光の光路長に対応する深さ位置から遠ざかるにつれて撮影感度が低くなる。そして、本実施形態では、ディスプレイ７５上における断層画像表示領域２０１Ｒの上限に表示される断層画像が参照ミラー３１の移動位置に対応した断層画像であるため、断層画像表示領域Ｒの上限付近に表示される断層画像の撮影感度が最も高く、下方向に向かうにつれて撮影感度が低下した断層画像が表示される。
【００４９】
以上のような構成によれば、検者は、マウス７６を用いて断層画像２０１に対するドラッグ操作を行うことにより、所望する眼底部位（例えば、網膜、脈絡膜等）が撮影感度の高い状態でディスプレイ７５に表示されるように調整できるため、検者の直感的な操作感覚によって検者が所望する眼底部位をスムーズに観察できる。なお、以上の説明においては、参照光の光路長に対応する被検眼の深さ位置の変更に伴って断層画像の表示位置が上下方向に移動するものとしたが、断層画像２０１に対する所定操作によって参照光の光路長に対応する被検眼の深さ位置が変更されるものであれば、種々の変容が可能である。
【００５０】
次に、図５を用いて、ディスプレイ７５上の断層画像に対してマウス７６による左右方向へのドラッグ操作が行われた場合について説明する。ここで、図５（ａ）に示すように断層画像２０１がクリックされた状態のままマウス７６が左右方向に移動されることにより、ディスプレイ７５上の断層画像２０１に対して左右方向へのドラッグ操作がなされると、その操作信号に基づいて、カーソル１００を左右方向に移動させると共に、図５（ｂ）に示すようにカーソル１００の移動に追従して断層画像２０１が移動されるように走査駆動機構５２を用いてガルバノミラー２３の走査位置を変更させることにより断層画像を取得するときの被検眼眼底上における測定光の走査位置（照射位置）を変更する。
【００５１】
断層画像を取得するために設定された各ガルバノミラー２３の駆動可能範囲（回転可能範囲）は、一枚の断層画像を取得するときのガルバノミラー２３の駆動範囲（回転角度）より広く設定されており、制御部７０は、一枚の断層画像を取得するときのガルバノミラー２３の駆動範囲を一定に設定しつつ、駆動可能範囲から所定の駆動位置を選択する。より具体的には、一枚の断層画像を取得する際のミラーの回転角度の幅を一定にしつつ、ミラーの回転開始角度と回転完了角度を変更する（ミラーの振れ角の中心位置（回転中心位置）を変更する）。これにより、被検眼眼底上を走査される測定光の走査角度を一定にすることで測定光の走査範囲を所定の走査幅に設定しつつ、被検眼眼底上における測定光の走査位置を変更することが可能である。すなわち、測定光の走査位置が変更されても、被検眼眼底上における測定光の照射幅は変更されず、測定光の照射範囲が全体的に左右方向に移動する。
【００５２】
ここで、制御部７０は、マウス７６が左方向に移動されるとドラッグ操作開始前の測定光の走査位置よりもドラッグ操作開始後の測定光の走査位置が右方向（装置側から見た場合）に移動されるようにガルバノミラー２３を移動させ、マウス７６が右方向に移動されるとドラッグ操作開始前の測定光の走査位置よりもドラッグ操作開始後の測定光の走査位置が左方向（装置側から見た場合）に移動されるようにガルバノミラー２３を移動させる。
【００５３】
そして、上記のようにして断層画像を取得する際のガルバノミラー２３の駆動位置が変更され、被検眼眼底上の測定光の走査位置が変化された後に取得された断層画像がディスプレイ７５に表示されると、結果的に、網膜、色素上皮、脈絡膜、等を含む眼底断層像がディスプレイ７５上を左右方向に移動するように表示される。この場合、ドラッグ操作前の測定光の照射位置に対してドラッグ操作によって新たに測定光が照射されて測定光の照射対象となった眼底領域においては、これに対応する断層画像が断層画像表示領域２０１Ｒ上に表示され、ドラッグ操作によって測定光の照射対象から外れた眼底領域においては、これに対応する断層画像が断層画像表示領域２０１Ｒ上から消去された状態となる。
【００５４】
なお、制御部７０は、マウス７６から出力される操作信号に基づいて、ドラッグ操作が開始された位置を基準としてドラッグ開始位置からのマウス７６の左右方向における移動量を検出し、左右方向における指定位置の移動情報を取得し、これに基づいて断層画像を取得する際のガルバノミラー２３の走査位置を変更させる。なお、メモリ７２には、ドラッグ開始位置からマウス７６が所定量移動されたときに、一枚の断層画像を取得する際のガルバノミラー２３の回転中心位置の偏位量を示す演算テーブルが記憶されており、制御部８０は、前述のように検出されるマウス７６の左右移動量に対応するガルバノミラー２３の回転中心位置の偏位量を演算テーブルから取得する。
【００５５】
また、本実施形態では、マウス７６が左右に移動されたときに、カーソル１００の左右方向における表示位置の変位量と断層画像２０１の左右方向における表示位置の変位量が等しくなるように、ドラッグ開始位置からのマウス７６の左右方向への移動量と回転中心位置の偏位量との対応関係が設定されている。したがって、ディスプレイ７５上において、マウス７６に対するドラッグ操作によって移動されるカーソル１００に対して断層画像２０１が追従するようにして表示されるようにガルバノミラー２３が駆動される。
【００５６】
また、上記構成において、制御部７０は、マウス７６が移動される毎に随時ガルバノミラー２３の移動範囲を変更させ断層画像を取得し、既に表示されている断層画像を更新して新たに取得された断層画像をディスプレイ７５に表示するようにすれば、マウス７６のドラッグ操作時において、検者は、画面上に表示される断層画像の左右方向における取得部位の変化をリアルタイムで観察することができるため、検者の所望する撮影条件への調整が容易となる。
【００５７】
また、制御部７０は、上記のように被検眼眼底上における測定光の走査位置が変更された場合、ＳＬＯ画像３０１上に電子的に表示される測定位置（取得位置）を表すラインＬＳの表示位置を変更された走査位置に対応するように変更する。
【００５８】
以上のような構成によれば、検者は、マウス７６を用いて断層画像２０１に対するドラッグ操作を行うことにより、所望する眼底部位がディスプレイ７５に表示されるように調整できるため、検者の直感的な操作感覚によって検者が所望する眼底部位をスムーズに観察できる。
【００５９】
また、上記構成によれば、検者は、断層画像２０１を見ながら、参照光の光路長に対応する被検眼の深さ位置の変更と、被検眼上における測定光の走査位置の変更を行うことができるため、これらの２つの変更操作をスムーズに行うことができる。
【００６０】
なお、本実施形態では、マウス７６の前後移動によって参照光の光路長に対応する被検眼の深さ位置を変更させる一方で、マウス７６の左右移動によって被検眼眼底上の測定光の走査位置を変更させる制御を行っている。よって、マウス７６が斜め方向に移動されたとき（前後方向へのマウス７６の移動と左右方向へのマウス７６の移動が同時に検出されるため）に出力される操作信号に基づいて、参照光の光路長に対応する被検眼の深さ位置の変更と被検眼眼底上の測定光の走査位置の変更を同時に行うことにより、断層画像の深さ方向及び左右方向における撮影位置を並行して変更することも可能である。この場合、断層画像２０１がディスプレイ７５上で斜め方向に移動するように表示され、ディスプレイ７５上に表示されている断層画像の位置を確認しながら、断層画像の深さ方向及び左右方向における撮影位置を変更できるため、検者の所望する眼底部位の観察をスムーズに行うことができる。逆に、マウス７６を前後に移動させて深さ方向の撮影位置を変更した後、マウス７６を左右に移動させて左右方向の撮影位置を変更するような場合、深さ方向の撮影位置を変更した時点で断層画像表示領域２０１Ｒから眼底部位の断層画像が見えなくなり、深さ方向における位置関係が把握できなく可能性があり、所望する眼底部位を探す手間が増加する可能性がある。
【００６１】
また、以上の説明においては、マウス７６のドラッグ操作に対応して随時参照ミラー３１を移動させ又はガルバノミラー２３の振れ角の中心を移動させディスプレイ７５上に表示される断層画像を更新するものとしたが、既にディスプレイ７５上に表示されている断層画像２０１をカーソル１００の移動に追従して移動させておき、クリックされた状態が解除された操作信号が入力されたときに、ドラッグ開始位置からのマウス７６の前後方向（又は左右方向）への移動量に応じて参照ミラー３１を移動させたのち（又はガルバノミラー２３の振れ角の中心を移動させたのち）に断層画像を取得し、取得された断層画像をディスプレイ７５上に表示するようにしてもよい。
【００６２】
また、上記構成において、制御部７０は、断層画像表示領域２０１Ｒにカーソル１００が置かれた状態で、さらに、マウス７６に設けられたホイール部が回転されたときに、その回転方向及び回転量に応じて、断層画像の上下方向（断層面に対して垂直な方向）における撮影位置を変化させるように、走査駆動機構５１を用いて眼底上の測定光の照射位置をＹ方向に移動させるためのガルバノミラー２３の角度を調整するようにしてもよい。例えば、ホイール部が前方向に回転されたときに、制御部８０は、その回転量に応じて眼底上での測定光の走査位置が上方向に移動するようにガルバノミラー２３を動作させる。一方、ホイール部が後方向に回転されたときに、制御部８０は、その回転量に応じて眼底上での測定光の走査位置が下方向に移動するようにガルバノミラー２３を動作させる。また、
断層画像表示領域２０１Ｒにカーソル１００が置かれた状態で、マウス７６に設けられたホイール部が回転されたときに、その回転方向及び回転量に応じて参照ミラー３１を移動させるようにしてもよい。
【００６３】
また、以上の説明において、ディスプレイ７５上に表示される断層画像は、ディスプレイ７５の画面上における上下方向が眼底の深さ方向、左右方向が眼底上における測定光の走査方向に対応するものとしたが、ディスプレイ７５の画面上における上下方向が眼底上における測定光の走査方向、左右方向が眼底の深さ方向に対応するような表示形態であっても、本発明の適用は可能である。なお、前述の表示形態は、被検眼眼底上における測定光の走査方向が上下方向の場合に特に有用であり、この場合、制御部７０は、マウス７６の上下移動に応じて被検眼の測定光の走査位置を変更させ、マウス７６の左右移動に応じて参照光の光路長に対応する被検眼の深さ位置を変更するようにしてもよい。
【００６４】
なお、上記のようにして被検眼上の左右方向（上下方向）における測定光の走査位置の変更を行う場合、被検眼眼底の湾曲形状に起因して眼底の各層も湾曲しているため、ＯＣＴ画像２０１の表示領域に表示される眼底画像における所定の眼底部位（例えば、網膜、脈絡膜、色素上皮、等）の表示位置は、撮影位置の左右方向への変化によってディスプレイ７５のＯＣＴ画像２０１の表示領域内で変化し、結果的に、検者が所望する眼底部位における撮影感度に変化が生じてしまう可能性がある。
【００６５】
そこで、上記のように被検眼上における測定光の走査位置を変更した後に取得される断層画像における所定の被検眼部位の深さ方向における撮影位置の変化を検出し、その検出結果に基づいて、走査位置の変更前に設定された所定の基準位置に対する所定の被検眼部位の深さ方向の撮影位置のずれが補正されるように参照光と測定光との光路差を変更するようにしてもよい。
【００６６】
より具体的には、上記のようにマウスの左右移動に基づいて被検眼上の測定光の走査位置を左右方向に変更するような場合において、制御部７０は、取得された断層画像における所定の眼底部位（例えば、反射率が大きい網膜色素上皮）の深さ方向における撮影位置の変化を検出し、断層画像表示領域２０１Ｒ内における所定の眼底部位がほぼ同一の撮影感度にて表示されるように、その検出結果に参照ミラー３１の移動を制御するようにしてもよい。
【００６７】
この場合、ＯＣＴ光学系２００によって取得される断層画像において反射率が相対的に大きい色素上皮部分を画像処理により抽出し、抽出された色素上皮部分の撮影画像上における撮影位置（深さ方向）をモニタリングする。
【００６８】
ここで、制御部７０は、まず、測定光の走査位置が変更される前段階における色素上皮部分の抽出位置を検出して基準位置として設定した上で、測定光の走査位置が変更された後段階における色素上皮部分の抽出位置を検出することにより所定の基準位置に対する色素上皮部分の撮影位置の深さ方向におけるずれ量を求める。そして、制御部７０は、その撮影位置のずれが補正される方向に、参照ミラー３１を移動させ、そのずれ量がほぼ０になったときに参照ミラー３１の移動を停止させる。このように左右方向への測定光の走査位置の変更に連動して断層画像上における撮影位置の変化前に設定された所定の基準位置に対する色素上皮部分のずれが補正されるように参照ミラー３１を移動させることにより、被検眼が観察した眼底部位を一定の撮影感度で観察することが可能となる。
【００６９】
次に、断層画像２０１に対してマウス７６のクリック操作を行うことにより断層画像の撮影位置を変更する手法について説明する。より具体的には、制御部７０は、図６（ａ）に示すように、断層画像表示領域２０１Ｒにカーソル１００が置かれた状態で、マウス７６がクリックされ、マウス７６が移動されることなく、クリックされた状態が解除される（以下の説明においては、上記操作をクリックとする）と、図６（ｂ）に示すようにカーソル１００によって指示された位置にあった断層画像上の所定領域（例えば、所定の点）が断層画像表示領域２０１Ｒにおける所定の基準位置（図６中のＫ参照）に表示されるように参照光の光路長に対応する被検眼の深さ位置又は被検眼眼底上の測定光の走査位置を変更する。なお、図６中のＫは、実施形態の説明のためのものではあり、実際には表示されない。
【００７０】
この場合、制御部７０は、マウス７６に設けられたマウスボタンからの検知信号が出力されたときにマウス７６からの出力される操作信号に基づいてカーソル１００によって指定されて上下方向及び左右方向における指定位置の移動情報を取得する。
【００７１】
なお、メモリ７２には、ディスプレイ７５上の断層画像表示領域２０１Ｒの座標位置（Ｘ、Ｙ）が所定のステップで記憶されており、制御部７０は、断層画像表示領域２０１Ｒ上を移動されるカーソル１００の断層画像表示領域２０１Ｒにおける表示位置を検出できる。また、メモリ７２には、断層画像表示領域２０１Ｒにおいて、クリックされた断層画像領域を表示させたい所定の表示位置（例えば、断層画像表示領域２０１Ｒにおける中心位置、上方、下方、など）の座標位置が基準位置として記憶されている。この場合、制御部７０は、前述の基準位置に対応する表示位置にレチクルを電子的に表示するようにしてもよい。
【００７２】
ここで、制御部７０は、ディスプレイ７５上の断層画像２０１に対してクリック操作がなされると、制御部７０は、その操作信号に基づいて、クリック操作が行われたときのカーソル１００の断層画像表示領域２０１Ｒにおける座標位置を検出し、上下方向及び左右方向における指定位置の移動情報を取得する。そして、取得された指定位置の移動情報に基づいて指定された断層画像領域を表示させたい所定の基準位置の座標位置とカーソル１００の座標位置との上下方向の偏位量及び左右方向の偏位量を検出する。
【００７３】
そして、制御部７０は、前述のように得られた上下方向における偏位量に基づいて、カーソル１００によって指定された断層画像領域がディスプレイ７５上の所定の上下位置にくるように駆動機構５０を用いて参照ミラー３１を移動させることにより参照光の光路長の変更を行う。
【００７４】
この場合、制御部７０は、カーソル１００によって所定の基準位置に対して上にある領域が指定されると参照光の光路長が短くなる方向に参照ミラー３１を移動させ所定の眼底部位における断層画像の表示位置を下方向に移動させ、カーソル１００によって所定の基準位置に対して下にある領域が指定されると参照光が長くなる方向に参照ミラー３１を移動させ所定の眼底部位における断層画像の表示位置を上方向に移動させる。
【００７５】
なお、メモリ７２には、所定の基準位置に対する上下方向における偏位量が所定の偏位量であるときの参照ミラー３１の移動量を示す演算テーブルが記憶されており、制御部８０は、前述のように検出される上下方向の偏位量に対応する参照ミラー３１の移動量を演算テーブルから取得することにより参照ミラー３１の移動量を求める。この場合、ディスプレイ７５上の所定の基準位置に対するカーソル１００の上下方向における表示位置の偏位量と、断層画像２０１の上下方向における表示位置の変位量が等しくなるように、所定の基準位置に対する上下方向における偏位量と参照ミラー３１の移動量との対応関係が設定されている。したがって、マウス７６に対するクリック操作によって指定される所定の断層画像領域がディスプレイ７５上における所定の上下位置に表示されるように参照ミラー３１が移動される。
【００７６】
以上のような構成において、例えば、ディスプレイ７５上の所定の基準位置を撮影感度の高い状態でディスプレイ７５に表示される断層画像表示領域Ｒの上限付近に設定することにより、検者は、マウス７６を用いて断層画像２０１に対するクリック操作を行うことにより、所望する眼底部位（例えば、網膜、脈絡膜等）が撮影感度の高い状態でディスプレイ７５に表示されるように断層画像２０１の表示位置を移動させることができるため、検者が所望する眼底部位をスムーズに観察できる。これにより、検者は、撮影感度が高い状態で表示される眼底部位を任意に選択することができる。なお、以上の説明においては、参照光の光路長に対応する被検眼の深さ位置の変更に伴って断層画像の表示位置が上下方向に移動するものとしたが、断層画像２０１に対する所定操作によって参照光の光路長に対応する被検眼の深さ位置が変更されるものであれば、種々の変容が可能である。
【００７７】
また、制御部７０は、前述のように得られた左右方向における偏位量に基づいて、カーソル１００によって指定された断層画像領域がディスプレイ７５上の所定の左右位置にくるように走査駆動機構５２を用いてガルバノミラー２３の回転中心位置の偏位量を変更させることにより断層画像を取得するときの被検眼眼底上における測定光の走査位置（照射位置）を変更する。
【００７８】
この場合、制御部７０は、カーソル１００によって所定の基準位置に対して左にある領域が指定されると、クリック操作前の測定光の走査位置よりもクリック操作後の測定光の走査位置が左方向（装置側から見た場合）に移動されるようにガルバノミラー２３を移動させ、カーソル１００によって所定の基準位置に対して右にある領域が指定されると、クリック操作前の測定光の走査位置よりもクリック操作後の測定光の走査位置が右方向（装置側から見た場合）に移動されるようにガルバノミラー２３を移動させる。
【００７９】
なお、メモリ７２には、所定の基準位置に対する左右方向における偏位量が所定の偏位量であるときのガルバノミラー２３の走査位置（駆動位置）の変更情報を示す演算テーブルが記憶されており、制御部８０は、前述のように検出される左右方向の偏位量に対応するガルバノミラー２３の走査位置の変更情報を演算テーブルから取得する。この場合、ディスプレイ７５上の所定の基準位置に対するカーソル１００の表示位置の左右方向における偏位量と、断層画像２０１の左右方向における表示位置の変位量が等しくなるように、所定の基準位置に対する左右方向における偏位量とガルバノミラー２３の走査位置の変更情報との対応関係が設定されている。したがって、マウス７６に対するクリック操作によって指定される所定の断層画像領域がディスプレイ７５上における所定の左右位置に表示されるように参照ミラー３１が移動される。
【００８０】
上記構成において、制御部７０は、断層画像２０１に対するマウス７６のクリック操作に対応して参照ミラー３１を移動させもしくはガルバノミラー２３の走査位置を変更させ断層画像を取得し、既に表示されている断層画像を更新して新たに取得された断層画像をディスプレイ７５に表示する。
【００８１】
また、制御部７０は、上記のように被検眼眼底上における測定光の走査位置が変更された場合、ＳＬＯ画像３０１上に電子的に表示される測定位置（取得位置）を表すラインＬＳの表示位置が変更された走査位置に対応するように変更する。
【００８２】
以上のような構成によれば、検者は、マウス７６を用いて断層画像２０１に対するクリック操作を行うことにより、所望する眼底部位がディスプレイ７５に表示されるように断層画像２０１の表示位置を左右方向に移動させることができるため、検者が所望する眼底部位をスムーズに観察できる。
【００８３】
なお、本実施形態では、制御部７０は、断層画像２０１に対してクリック操作がなされたときの、ディスプレイ７５上の所定の基準位置に対するカーソル１００の上下方向における表示位置に応じて参照光の光路長に対応する被検眼の深さ位置を変更させる一方で、ディスプレイ７５上の所定の基準位置に対するカーソル１００の左右方向における表示位置に応じて被検眼眼底上の測定光の走査位置を変更させる制御を行っている。
【００８４】
この場合、ディスプレイ７５上の所定の基準位置に対して斜め方向にカーソル１００が置かれた状態でクリック操作がなされたときに出力される指定位置情報に基づいて、参照光の光路長に対応する被検眼の深さ位置の変更と被検眼眼底上の測定光の走査位置の変更を同時に行うことにより、断層画像の深さ方向及び左右方向における撮影位置を並行して変更することも可能である。
【００８５】
この場合、断層画像２０１がディスプレイ７５上で斜め方向に移動するように表示されるため、ディスプレイ７５上に表示されている断層画像の位置を確認しながら、断層画像の深さ方向及び左右方向における撮影位置を変更できるため、検者の所望する眼底部位の観察をスムーズに行うことができる。
【００８６】
また、上記のように深さ方向及び左右方向における撮影位置の変更を同時に行うモード以外の他に、断層画像２０１に対してクリック操作がなされたときのカーソル１００の上下方向における表示位置に基づいて参照光の光路長に対応する被検眼の深さ位置を変更するモードと、断層画像２０１に対してクリック操作がなされたときのカーソル１００の左右方向における表示位置に基づいて被検眼眼底上の測定光の左右方向における走査位置を変更するモードと、を設けるようにしてもよい。
【００８７】
なお、以上の説明においては、マウス７６を用いて参照光の光路長に対応する被検眼の深さ位置又は被検眼眼底上の測定光の走査位置を変更するものとしたが、所定のディスプレイに表示される断層画像上における任意の位置を指定できる構成であれば、これに限るものではない。この場合、ディスプレイにタッチパネル機能を搭載させ、タッチパネル上の断層画像をタッチしたときのディスプレイ上における指定位置情報、又はタッチパネル上で断層画像に対するドラッグ操作がなされたときの指定位置の移動情報に基づいて参照光の光路長に対応する被検眼の深さ位置又は被検眼眼底上の測定光の走査位置の変更を行うようにしてもよい。
【００８８】
また、以上の説明においては、参照光光路に参照ミラー３１を配置することにより参照光を反射させるような構成としたが、参照ミラーを用いず光ファイバーで形成された光路に参照光を通過させ、結果的に参照光と眼底から反射された測定光とが干渉するような構成であってもよい（特開２００７−１５１６２２号公報参照）。この場合、例えば、参照光光路に配置された光ファイバの出射端を移動させることにより参照光の光路長を変更できる。
【００８９】
また、以上の説明においては、参照光の光路長を変化させることにより参照光の光路長と測定光の光路長の光路差を変更するものとしたが、測定光の光路長を変化させるような構成としてもよい。この場合、例えば、コリメータレンズ２５と光ファイバー３８ｂの端部３９ｂを一体的に光軸方向に移動させることにより測定光の光路長を変化させるようにしてもよい。
【図面の簡単な説明】
【００９０】
【図１】本実施形態の眼科撮影装置の光学系及び制御系を示す図である。
【図２】ＢスキャンによるＯＣＴ画像と二次元的なスキャンによるＳＬＯ画像を逐次取得する際の動作について説明する図である。
【図３】ディスプレイに表示される表示画面の一例である。
【図４】ディスプレイ上の断層画像に対して上下方向へのドラッグ操作がなされたときの表示画像の変化について説明する図である。
【図５】ディスプレイ上の断層画像に対して左右方向へのドラッグ操作がなされたときの表示画像の変化について説明する図である。
【図６】ディスプレイ上の断層画像に対してクリック操作がなされたときの表示画像の変化について説明する図である。
【符号の説明】
【００９１】
２３  走査部（ガルバノミラー）
２７  ＯＣＴ光源
３１  参照ミラー
７０  制御部
７５  ディスプレイ
７６  マウス
１００  カーソル
２００  ＯＣＴ光学系
２０１  断層画像
２０１Ｒ  断層画像表示領域
【図１】
2014057899.tif 000003
【図２】
2014057899.tif 000004
【図３】
2014057899.tif 000005
【図４】
2014057899.tif 000006
【図５】
2014057899.tif 000007
【図６】
2014057899.tif 000008